(57)【要約】【課題】内部への水の浸入を防ぐことができるコネクタを提供する。【解決手段】前端開口部１１ａを有する本体ケース１と、前端開口部１１ａを塞ぐ基壁部２１と側壁部２２，２３とを有するフロントハウジング２と、給電ケーブルユニット３と、を備えたコネクタＡ。フロントハウジング２の基壁部２１は、給電ケーブルユニット３が挿通するケーブルユニット挿通孔を有する。給電ケーブルユニット３は、前記ケーブルユニット挿通孔に対する液密が確保された状態で基壁部２１に固定されている。【選択図】図２
2019102363.tif 000002
【特許請求の範囲】
【請求項１】
電動機械の受け側コネクタに接続可能なコネクタであって、
筒状に形成され、その中心軸線方向の前方側の端部に開口する前端開口部を有する本体ケースと、
前記本体ケースの前端開口部を塞ぐ基壁部と前記基壁部から前方に突出して前記受け側コネクタに嵌合される側壁部とを有するフロントハウジングと、
前記本体ケースに挿通するケーブルと前記ケーブルの先端に設けられて前記基壁部の前方に突出する端子とを有するケーブルユニットと、を備え、
前記フロントハウジングの前記基壁部は、前記ケーブルユニットが挿通するケーブルユニット挿通孔を有し、
前記ケーブルユニットは、前記ケーブルユニット挿通孔に対する液密が確保された状態で前記基壁部に固定されている、コネクタ。
【請求項２】
前記本体ケースを収容する外部ケースをさらに備えている、請求項１に記載のコネクタ。
【請求項３】
前記本体ケースは、貫通孔である締結具挿通孔を有し、前記締結具挿通孔に挿通する本体ケース締結具によって前記フロントハウジングに固定されている、請求項１または２に記載のコネクタ。
【請求項４】
前記外部ケースは、外部ケース締結具によって前記フロントハウジングに固定されている、請求項２に記載のコネクタ。
【請求項５】
前記ケーブルユニットを前記基壁部の後面に固定する固定部材をさらに備えている、請求項１〜４のうちいずれか１項に記載のコネクタ。
【請求項６】
前記本体ケースは、一体に形成されている、請求項１〜５のうちいずれか１項に記載のコネクタ。
【請求項７】
前記外部ケースに、前記外部ケース内の液体を排出する液排出口が形成されている、請求項２または４に記載のコネクタ。
【発明の詳細な説明】
【技術分野】
【０００１】
本発明は、コネクタに関する。
【背景技術】
【０００２】
従来、電気自動車等のように電力により駆動する電動機械の充電に用いられるコネクタとしては、例えば特許文献１，２のように、ハウジングと、前記ハウジングに挿通するケーブルとを備えたコネクタがある。ハウジングは、電動機械の受電コネクタ（電気ソケット）に嵌合する嵌合部（差し込み部）を有する。
【先行技術文献】
【特許文献】
【０００３】
【特許文献１】特開２０１４−１６０６１１号公報
【特許文献２】特表２０１３−５３７６８１号公報
【発明の概要】
【発明が解決しようとする課題】
【０００４】
しかしながら、特許文献１および特許文献２のコネクタでは、防水構造が不十分であり、ハウジング内への水の浸入を防ぐことが求められていた。
【０００５】
本発明の一態様は、上述した事情に鑑みてなされたものであって、内部への水の浸入を防ぐことができるコネクタを提供することを目的とする。
【課題を解決するための手段】
【０００６】
本発明の一態様は、電動機械の受け側コネクタに接続可能なコネクタであって、筒状に形成され、その中心軸線方向の前方側の端部に開口する前端開口部を有する本体ケースと、前記本体ケースの前端開口部を塞ぐ基壁部と前記基壁部から前方に突出して前記受け側コネクタに嵌合される側壁部とを有するフロントハウジングと、前記本体ケースに挿通するケーブルと前記ケーブルの先端に設けられて前記基壁部の前方に突出する端子とを有するケーブルユニットと、を備え、前記フロントハウジングの前記基壁部は、前記ケーブルユニットが挿通するケーブルユニット挿通孔を有し、前記ケーブルユニットは、前記ケーブルユニット挿通孔に対する液密が確保された状態で前記基壁部に固定されているコネクタを提供する。
【０００７】
前記コネクタは、前記本体ケースを収容する外部ケースをさらに備えていることが好ましい。
前記本体ケースは、貫通孔である締結具挿通孔を有し、前記締結具挿通孔に挿通する本体ケース締結具によって前記フロントハウジングに固定されていることが好ましい。
前記外部ケースは、外部ケース締結具によって前記フロントハウジングに固定されていることが好ましい。
前記コネクタは、前記ケーブルユニットを前記基壁部の後面に固定する固定部材をさらに備えていることが好ましい。
前記本体ケースは、一体に形成されていることが好ましい。
前記外部ケースに、前記外部ケース内の液体を排出する液排出口が形成されていることが好ましい。
【発明の効果】
【０００８】
例えば給電ケーブルユニットが端子板に固定される構造のコネクタでは、端子板をフロントハウジングおよび本体ケースに固定するため、これら各部材に締結具用の挿通孔を形成するとともに、各部材を締結具により固定することが必要となる。そのため、固定構造が複雑となることから、受け側コネクタとの嵌合により力が加えられやすいフロントハウジングを含むコネクタ前部において高い防水性能を確保するのは難しかった。
これに対し、本発明の一態様では、ケーブルユニットがフロントハウジングの基壁部に直接、固定されるため、端子板を有する構造に比べてコネクタ前部における固定構造を簡略にすることができる。よって、受け側コネクタとの嵌合によりフロントハウジングに力が加えられやすいにもかかわらず、防水性を確保することができる。
さらに、本発明の一態様では、本体ケースを収容する外部ケースを備えることによって、本体ケースとフロントハウジングとを固定するための締結具挿通孔を外部ケースによって包囲することができる。よって、本体ケースとフロントハウジングとの固定構造における防水性を高めることができる。
本発明の一態様では、本体ケースと外部ケースとの二重壁構造により、コネクタの機械的強度を高めることができる。
【図面の簡単な説明】
【０００９】
【図１】本発明の一実施形態に係るコネクタを示す斜視図である。
【図２】図１のコネクタの分解斜視図である。
【図３】図１のコネクタの側断面図である。
【図４】図１のコネクタの内部構造を示す側面図である。
【図５】図１のコネクタの一部を示す断面図である。
【図６】図１のコネクタの一部を示す斜視図である。
【図７】図１のコネクタの内部構造を示す斜視図である。
【図８】図１のコネクタの第１ケーブル固定部材を示す斜視図である。
【図９】図１のコネクタの第２ケーブル固定部材を示す斜視図である。
【図１０】図１のコネクタのフロントハウジングを斜め後方から見た図である。
【図１１】図１のコネクタのフロントハウジングを斜め前方から見た図である。
【図１２】図１のコネクタの給電ケーブルユニットを示す斜視図である。
【図１３】図１のコネクタの第１給電ケーブルユニットおよびその周辺を示す断面図である。
【図１４】図１のコネクタの第２給電ケーブルユニットおよびその周辺を示す断面図である。
【図１５】図１のコネクタの一部を示す斜視図である。
【発明を実施するための形態】
【００１０】
以下、本発明に係るコネクタの一実施形態を、図１〜図１５に基づいて説明する。
図１〜図３に示すように、本実施形態のコネクタＡは、電気自動車（電動機械）に電力を供給する充電スタンド等の充電装置に備えるものであり、電力供給時（充電時）に電気自動車に設けられた受け側コネクタ（図示略）に接続することができる。コネクタＡは、電動機械に給電する給電コネクタである。
以下の説明では、各図面におけるＹ軸正方向を前方と呼び、Ｙ軸負方向を後方と呼ぶことがある。また、Ｘ軸正方向を上方と呼び、Ｘ軸負方向を下方と呼ぶことがある。Ｘ軸正方向（上方）を高さ方向と呼ぶことがある。また、Ｚ軸方向を幅方向と呼ぶことがある。
【００１１】
図１〜図３に示すように、コネクタＡは、本体ケース１と、フロントハウジング２と、給電ケーブルユニット３（ケーブルユニット）と、外部ケース４と、保護カバー５と、ケーブル固定部材６と、を備える。
図２および図３に示すように、本体ケース１は、主部１１と、主部１１に連なって形成された後延出部１２とを有する。
主部１１は、中心軸線Ｌ１方向（Ｙ軸方向）の前方側の端部（前端部）に開口する前端開口部１１ａを有する筒状とされている。主部１１の、中心軸線Ｌ１方向に直交する断面の形状は、矩形状、例えば４つの角部が円弧状にされた矩形状とすることができる。前端開口部１１ａは、矩形状、例えば４つの角部が円弧状にされた矩形状とすることができる。
主部１１の外周面には、前端開口部１１ａに近い位置に、環状溝１３（図１３参照）が形成されている。環状溝１３は、中心軸線Ｌ１周り方向に形成されている。
【００１２】
後延出部１２は、主部１１の後端部から中心軸線Ｌ１方向（Ｙ軸方向）に傾斜する方向に延出する筒状とされている。後延出部１２の内部空間は主部１１の内部空間に連通している。
【００１３】
図４〜図６に示すように、本体ケース１の両側面には、前後方向に沿う溝部１４が形成されている。溝部１４の前端に形成された端板部１５には、本体ケース締結具７２が挿入される締結具挿通孔２０が形成されている。締結具挿通孔２０は、端板部１５を貫通して形成された貫通孔である。
【００１４】
本体ケース１は、一体に形成されていることが好ましい。これにより、本体ケース１の防水性を高めることができる。
【００１５】
図２、図１０および図１１に示すように、フロントハウジング２は、基壁部２１と、第１側壁部２２と、第２側壁部２３と、端子用筒部２４と、保持筒部２５と、周壁部２６とを備える。
基壁部２１は、矩形状、例えば４つの角部が円弧状にされた矩形状の板状とすることができる。図２に示すように、基壁部２１は、主部１１の前端開口部１１ａを塞いで設置される。
【００１６】
図１０、図１３および図１４に示すように、基壁部２１は、給電ケーブルユニット３が挿通するケーブルユニット挿通孔１６と、外部ケース締結具７１が挿入される締結具挿通孔１７と、本体ケース締結具７２が挿入される締結具挿通孔１８と、ケーブル固定部材締結具７３，７４が挿入される締結具挿通孔１９とを有する。
【００１７】
ケーブルユニット挿通孔１６は、基壁部２１を厚さ方向に貫通して形成されている。ケーブルユニット挿通孔１６は、第１〜第５ケーブルユニット挿通孔１６Ａ，１６Ｂ，１６Ｃ，１６Ｄ，１６Ｅを有する。
【００１８】
図１０および図５に示すように、締結具挿通孔１７は、締結具挿通孔１７Ａ，１７Ｂを有する。締結具挿通孔１７Ａ，１７Ｂには、外部ケース締結具７１，７１がそれぞれ挿通する。
締結具挿通孔１７Ａ，１７Ｂは、前面２１ａに開口しており、基壁部２１を厚さ方向に貫通せずに形成されている。締結具挿通孔１７Ａ，１７Ｂは、内面に雌ネジが形成されていることが好ましい。
締結具挿通孔１７Ａは、基壁部２１の一方の側縁２１ｂに近い位置に形成されている。締結具挿通孔１７Ｂは、基壁部２１の他方の側縁２１ｂに近い位置に形成されている。
【００１９】
図１１および図５に示すように、締結具挿通孔１８は、締結具挿通孔１８Ａ，１８Ｂを有する。締結具挿通孔１８Ａ，１８Ｂには、本体ケース締結具７２，７２がそれぞれ挿通する。
締結具挿通孔１８Ａ，１８Ｂは、基壁部２１の後面２１ｂから後方に突出して形成された柱状体２７，２７に形成されている。
締結具挿通孔１８Ａ，１８Ｂは、柱状体２７，２７の突端面２７ａ，２７ａに開口しており、基壁部２１を厚さ方向に貫通せずに形成されている。すなわち、締結具挿通孔１８Ａ，１８Ｂは、基壁部２１の前面２１ａに達しない程度の深さとされている。締結具挿通孔１８Ａ，１８Ｂは、内面に雌ネジが形成されていることが好ましい。
【００２０】
図１１および図７に示すように、締結具挿通孔１９は、第１ケーブル固定部材締結具７３が挿通する締結具挿通孔１９Ａと、第２ケーブル固定部材締結具７４が挿通する締結具挿通孔１９Ｂとを有する。
締結具挿通孔１９Ａ，１９Ｂは、基壁部２１の後面２１ｂから後方に突出して形成された柱状体２８，２９にそれぞれ形成されている。
締結具挿通孔１９Ａ，１９Ｂは、柱状体２８，２９の突端面２８ａ，２９ａに開口しており、基壁部２１を厚さ方向に貫通せずに形成されている。すなわち、締結具挿通孔１９Ａ，１９Ｂは、基壁部２１の前面２１ａに達しない程度の深さとされている。締結具挿通孔１９Ａ，１９Ｂは、内面に雌ネジが形成されていることが好ましい。
【００２１】
図１０に示すように、第１側壁部２２は、概略、円筒状とされ、基壁部２１の前面２１ａから前方に突出して形成されている。
第１側壁部２２は、第１ケーブルユニット挿通孔１６Ａ、第４ケーブルユニット挿通孔１６Ｄおよび第５ケーブルユニット挿通孔１６Ｅを一括して囲んで形成されている。
第２側壁部２３は、楕円筒状とされ、基壁部２１の前面２１ａから前方に突出して形成されている。第２側壁部２３は、第１側壁部２２よりも低い位置に形成されている。
第２側壁部２３は、第２ケーブルユニット挿通孔１６Ｂおよび第３ケーブルユニット挿通孔１６Ｃを一括して囲んで形成されている。
第１側壁部２２および第２側壁部２３は、例えば、受け側コネクタ（図示略）のシェル内に挿入可能に形成される。
第１側壁部２２および第２側壁部２３は、基壁部２１と一体に形成されている。
【００２２】
端子用筒部２４は、第１〜第５端子用筒部２４Ａ，２４Ｂ，２４Ｃ，２４Ｄ，２４Ｅを有する。
第１端子用筒部２４Ａは、円筒状とされ、基壁部２１の前面２１ａから前方に突出して形成されている。第１端子用筒部２４Ａは、第１ケーブルユニット挿通孔１６Ａを囲んで形成されている。第１端子用筒部２４Ａは、第１側壁部２２内に形成されている。
【００２３】
第２端子用筒部２４Ｂおよび第３端子用筒部２４Ｃは、円筒状とされ、それぞれ基壁部２１の前面２１ａから前方に突出して形成されている。第２端子用筒部２４Ｂは、第２ケーブルユニット挿通孔１６Ｂを囲んで形成されている。第３端子用筒部２４Ｃは、第３ケーブルユニット挿通孔１６Ｃを囲んで形成されている。第２端子用筒部２４Ｂおよび第３端子用筒部２４Ｃは、第２側壁部２３内に、Ｚ軸方向に並んで形成されている。
【００２４】
第４端子用筒部２４Ｄおよび第５端子用筒部２４Ｅは、円筒状とされ、それぞれ基壁部２１の前面２１ａから前方に突出して形成されている。第４端子用筒部２４Ｄは、第４ケーブルユニット挿通孔１６Ｄを囲んで形成されている。第５端子用筒部２４Ｅは、第５ケーブルユニット挿通孔１６Ｅを囲んで形成されている。第４端子用筒部２４Ｄおよび第５端子用筒部２４Ｅは、第１側壁部２２内に、Ｚ軸方向に並んで形成されている。
【００２５】
図１１に示すように、保持筒部２５は、第１〜第５保持筒部２５Ａ，２５Ｂ，２５Ｃ，２５Ｄ，２５Ｅを有する。第１〜第５保持筒部２５Ａ〜２５Ｅは、円筒状とされ、基壁部２１の後面２１ｂから後方に突出して形成されている。第１〜第５保持筒部２５Ａ〜２５Ｅは、それぞれ第１〜第５ケーブルユニット挿通孔１６Ａ〜１６Ｅを囲んで形成されている。
【００２６】
周壁部２６は、基壁部２１の周縁から後方に突出して形成されている。
周壁部２６内には、本体ケース１の前端部分が挿入される。
図１３に示すように、周壁部２６の内面と、本体ケース１の主部１１の外面（詳しくは環状溝１３の内面）との間には、主部１１を囲む環状のパッキン５１が設けられる。パッキン５１は、例えばゴム、シリコーン系樹脂、アクリレート系樹脂等の弾性材料からなり、弾性変形可能である。パッキン５１は、周壁部２６の内面と、本体ケース１の主部１１の外面との隙間に配置されることで、この隙間を液密に閉止する止水部材として機能する。
【００２７】
図１２に示すように、給電ケーブルユニット３は、給電ケーブル３１（ケーブル）と、給電側端子３２と、パッキン３３（シール部材）とを備える。
給電ケーブル３１は、第１〜第３ケーブル３１Ａ，３１Ｂ，３１Ｃを有する。第１〜第３ケーブル３１Ａ〜３１Ｃは、本体ケース１に挿通される。
図２に示すように、本体ケース１の後延出部１２内に位置する部分の給電ケーブル３１は、給電ケーブル３１を保護するための筒状のブーツ部３８に挿通している。
給電ケーブル３１は、本体ケース１の主部１１、後延出部１２を通り、外部ケース４の収容部４１の後延出部４４を経て外部ケース４の外に延びている。
【００２８】
図１２に示すように、給電側端子３２は、第１〜第３ケーブル３１Ａ〜３１Ｃの先端にそれぞれ設けられた第１〜第３給電側端子３２Ａ，３２Ｂ，３２Ｃと、第１ケーブル３１Ａの先端に電気的に接続された第４および第５給電側端子３２Ｄ，３２Ｅとを有する。
第１〜第５給電側端子３２Ａ〜３２Ｅは、受け側コネクタ（図示略）の端子に電気的に接続可能である。
【００２９】
第１〜第３給電側端子３２Ａ〜３２Ｃは、第１〜第３基筒部３２Ａａ，３２Ｂａ，３２Ｃａと、第１〜第３基筒部３２Ａａ〜３２Ｃａの外周面から径方向外方に突出する第１〜第３環状凸部３２Ａｂ，３２Ｂｂ，３２Ｃｂと、第１〜第３基筒部３２Ａａ〜３２Ｃａから第１〜第３ケーブル３１Ａ〜３１Ｃの先端方向に突出する第１〜第３端子３２Ａｃ，３２Ｂｃ，３２Ｃｃとを有する。
第４および第５給電側端子３２Ｄ，３２Ｅは、第４および第５基筒部３２Ｄａ，３２Ｅａと、第４および第５基筒部３２Ｄａ，３２Ｅａの外周面から径方向外方に突出する第４および第５環状凸部３２Ｄｂ，３２Ｅｂと、第４および第５基筒部３２Ｄａ，３２Ｅａから先端方向に突出する第４および第５端子３２Ｄｃ，３２Ｅｃと、を有する。
【００３０】
パッキン３３は、第１〜第５環状凸部３２Ａｂ〜３２Ｅｂの外周面に形成された第１〜第５環状溝３４Ａ，３４Ｂ，３４Ｃ、３４Ｄ，３４Ｅにそれぞれ嵌合する環状の第１〜第５パッキン３３Ａ，３３Ｂ，３３Ｃ，３３Ｄ，３３Ｅを有する。第１〜第５パッキン３３Ａ〜３３Ｅは、例えばゴム、シリコーン系樹脂、アクリレート系樹脂等の弾性材料からなり、弾性変形可能である。
【００３１】
第１〜第５給電側端子３２Ａ〜３２Ｅは、それぞれフロントハウジング２の第１〜第５ケーブルユニット挿通孔１６Ａ〜１６Ｅに挿通する。
第１〜第５パッキン３３Ａ〜３３Ｅは、第１〜第５給電側端子３２Ａ〜３２Ｅの外面（詳しくは第１〜第５環状溝３４Ａ〜３４Ｅの内面）と、第１〜第５保持筒部２５Ａ〜２５Ｅの内面との隙間に配置されることで、この隙間を液密に閉止する止水部材として機能する。
【００３２】
給電側端子３２は、電気自動車に電力を供給するための給電用端子のほか、例えば充電装置と電気自動車との間で充電制御に要する情報を通信するための通信用端子などであってもよい。
なお、給電側端子を構成する部品等の数、配置等は任意に設定することが可能であるが、例えば日本電動車両規格であるＪＥＶＳ Ｇ １０５や、欧州のＩＥＣ６２１９６−２、米国のＳＡＥ  Ｊ  １７７２に定められているものが挙げられる。
【００３３】
図１〜図４に示すように、外部ケース４は、本体ケース１を収容する収容部４１と、収容部４１の後部に設けられた取手部４２とを有する。
収容部４１は、主部４３と、主部４３に連なって形成された後延出部４４と、主部４３の前縁４３ｂに設けられた前板４５，４５とを有する。
【００３４】
主部４３は、筒状とされている。主部４３の、中心軸線Ｌ１方向に直交する断面の形状は、矩形状、例えば４つの角部が円弧状にされた矩形状とすることができる。
主部４３には、本体ケース１の主部１１が収容される。
【００３５】
後延出部４４は、主部４３の後端部から中心軸線Ｌ１方向（Ｙ軸方向）に傾斜する方向に延出する。後延出部４４には、本体ケース１の後延出部１２が収容される。
【００３６】
後延出部４４の内面と、給電ケーブルユニット３のブーツ部３８の外面との間には、ブーツ部３８を囲む環状のパッキン５２を設けてもよい。パッキン５２は、例えばゴム、シリコーン系樹脂、アクリレート系樹脂等の弾性材料からなり、弾性変形可能である。パッキン５２は、ブーツ部３８の外面と、外部ケース４の後延出部４４の内面との隙間に配置されることで、この隙間を液密に閉止する止水部材として機能する。
【００３７】
前板４５，４５は、フロントハウジング２の基壁部２１の前面２１ａに重ねて配置される。前板４５，４５には、第１側壁部２２および第２側壁部２３が挿通する前端開口部４５ａが形成されている。
前板４５，４５には、基壁部２１の締結具挿通孔１７に重なる位置に、締結具挿通孔４６，４６が形成されている。
【００３８】
図１５に示すように、収容部４１の主部４３の下部には、第１液排出口４７Ａが形成されている。
後延出部４４には、第２液排出口４７Ｂが形成されている。
外部ケース４に第１液排出口４７Ａおよび第２液排出口４７Ｂが形成されていることにより、外部ケース４内の液体（例えば水）を第１液排出口４７Ａおよび第２液排出口４７Ｂを通して外部に排出することができる。
【００３９】
図２に示すように、外部ケース４は、複数の分割体が組み合わされて構成されている。例えば、外部ケース４は、Ｚ軸方向の一方側の分割体である第１ケース部材４Ａと、Ｚ軸方向の他方側の分割体である第２ケース部材４Ｂとを有する。
【００４０】
保護カバー５は、外部ケース４の上部に設けられる第１保護カバー５Ａと、外部ケース４の下部に設けられる第２保護カバー５Ｂとを有する。
図１５に示すように、第２保護カバー５Ｂには、第１液排出口４７Ａに重なる位置に、液排出口５４Ａが形成されている。
これにより、外部ケース４の第１液排出口４７Ａから排出された液体を液排出口５４Ａを通して外部に排出することができる。
【００４１】
図７〜図９に示すように、ケーブル固定部材６（固定部材）は、第１ケーブル固定部材６Ａと、第２ケーブル固定部材６Ｂとを有する。
図７、図８および図１２に示すように、第１ケーブル固定部材６Ａは、本体部６１と、複数の固定部６２とを有する。
本体部６１は、第１ケーブル３１Ａの第１給電側端子３２Ａを収容可能な第１筒部６３Ａと、第４給電側端子３２Ｄを収容可能な第４筒部６３Ｄと、第５給電側端子３２Ｅを収容可能な第５筒部６３Ｅと、を備える。
第１筒部６３Ａは、第１移動規制部６４Ａを有し、第１移動規制部６４Ａによって第１給電側端子３２Ａの後方移動を規制できる。第４筒部６３Ｄは、第４移動規制部６４Ｄを有し、第４移動規制部６４Ｄによって第４給電側端子３２Ｄの後方移動を規制できる。第５筒部６３Ｅは、第５移動規制部６４Ｅを有し、第５移動規制部６４Ｅによって第５給電側端子３２Ｅの後方移動を規制できる。
【００４２】
固定部６２は、本体部６１から側方に突出して形成されており、第１ケーブル固定部材締結具７３が挿通する挿通孔６２ａを有する。
固定部６２が第１ケーブル固定部材締結具７３によって基壁部２１に固定されることによって、第１ケーブル３１Ａの第１給電側端子３２Ａ、第４給電側端子３２Ｄおよび第５給電側端子３２Ｅを基壁部２１の後面２１ｂに固定することができる。
【００４３】
図７、図９および図１２に示すように、第２ケーブル固定部材６Ｂは、本体部６６と、複数の固定部６７とを有する。
本体部６６は、第２ケーブル３１Ｂの第２給電側端子３２Ｂを収容可能な第２筒部６３Ｂと、第３ケーブル３１Ｃの第３給電側端子３２Ｃを収容可能な第３筒部６３Ｃと、を備える。
第２筒部６３Ｂは、第２移動規制部６４Ｂを有し、第２移動規制部６４Ｂによって第２給電側端子３２Ｂの後方移動を規制できる。第３筒部６３Ｃは、第３移動規制部６４Ｃを有し、第３移動規制部６４Ｃによって第３給電側端子３２Ｃの後方移動を規制できる。
固定部６７は、本体部６６から側方に突出して形成されており、第２ケーブル固定部材締結具７４が挿通する挿通孔６７ａを有する。
固定部６７が第２ケーブル固定部材締結具７４によって基壁部２１に固定されることによって、第２ケーブル３１Ｂの第２給電側端子３２Ｂ、および第３ケーブル３１Ｃの第３給電側端子３２Ｃを基壁部２１の後面２１ｂに固定することができる。
【００４４】
図５に示すように、本体ケース締結具７２は、ヘッド部７２ａと、ヘッド部７２ａから延びる軸部７２ｂとを有する。軸部７２ｂは、外周面にねじが形成されたネジ軸部であってよい。
図５および図６に示すように、本体ケース締結具７２が、本体ケース１の端板部１５の締結具挿通孔２０に挿通し、締結具挿通孔１８にねじ止め等により固定されることによって、本体ケース１の端板部１５はフロントハウジング２の基壁部２１に固定される。
【００４５】
ヘッド部７２ａと端板部１５との間には、軸部７２ｂを囲むパッキン５３を設けることができる。
パッキン５３は、例えばゴム、シリコーン系樹脂、アクリレート系樹脂等の弾性材料からなり、弾性変形可能である。パッキン５３は、ヘッド部７２ａと、端板部１５との隙間に配置されることで、この隙間を液密に閉止する止水部材として機能する。そのため、本体ケース締結具７２は、締結具挿通孔２０に対して液密に基壁部２１に固定される。これにより、締結具挿通孔２０を通した本体ケース１内への浸水を防ぐことができる。
【００４６】
図５に示すように、外部ケース締結具７１は、ヘッド部７１ａと、ヘッド部７１ａから延びる軸部７１ｂとを有する。軸部７１ｂは、外周面にねじが形成されたネジ軸部であってよい。
外部ケース締結具７１が締結具挿通孔４６に挿通し、締結具挿通孔１７にねじ止め等により固定されることによって、外部ケース４の前板４５はフロントハウジング２の基壁部２１に固定される。
【００４７】
例えば給電ケーブルユニットが端子板に固定される構造のコネクタでは、端子板をフロントハウジングおよび本体ケースに固定するため、これら各部材に締結具用の挿通孔を形成するとともに、各部材を締結具により固定することが必要となる。そのため、固定構造が複雑となることから、受け側コネクタとの嵌合により力が加えられやすいフロントハウジングを含むコネクタ前部において高い防水性能を確保するのは難しかった。
これに対し、本実施形態のコネクタＡは、給電ケーブルユニット３がフロントハウジング２の基壁部２１に直接、固定されるため、端子板を有する構造に比べてコネクタ前部における固定構造を簡略にすることができる。よって、受け側コネクタとの嵌合によりフロントハウジングに力が加えられやすいにもかかわらず、防水性を確保することができる。
さらに、コネクタＡは、本体ケース１を収容する外部ケース４を備えているため、本体ケース１とフロントハウジング２とを固定するための締結具挿通孔２０を外部ケース４によって包囲することができる。よって、本体ケース１とフロントハウジング２との固定構造における防水性を高めることができる。
また、本体ケース１と外部ケース４との二重壁構造により、コネクタＡの機械的強度を高めることができる。
【００４８】
コネクタＡでは、本体ケース締結具７２によって本体ケース１をフロントハウジング２に固定するための締結具挿通孔２０が本体ケース１に形成されているため、貫通孔である締結具挿通孔２０をフロントハウジング２から離れた位置に配置できる。そのため、締結具挿通孔２０を通した本体ケース１内への浸水を起こりにくくすることができる。
【００４９】
外部ケース４は、本体ケース締結具７２とは別の締結具である外部ケース締結具７１によってフロントハウジング２に固定されるため、共通の締結具によって本体ケース１とフロントハウジング２と外部ケース４とを固定する場合に比べ、貫通孔の形成を少なくし、防水性能を高めることができる。
【００５０】
コネクタＡは、給電ケーブルユニット３を基壁部２１の後面２１ｂに固定するケーブル固定部材６を有するため、給電ケーブルユニット３の移動を規制できる。そのため、ケーブルユニット挿通孔１６からの浸水を回避できる。
【００５１】
以上、本発明のコネクタに係る実施形態について説明したが、本発明は上述した実施形態に限定されるものではなく、本発明の趣旨を逸脱しない範囲において種々の変更を加えることが可能である。
例えば、本体ケースは一体形成品であることが好ましいが、複数の分割体を組み合わせた構成であってもよい。
図１等に示すコネクタＡは、電気自動車などの電動機械に給電する給電コネクタであるが、実施形態のコネクタは、電動機械から受電する受電コネクタであってもよい。コネクタＡを受電コネクタとして用いる場合には、コネクタＡにおける給電ケーブルユニット３、給電ケーブル３１、および給電側端子３２は、それぞれ受電ケーブルユニット、受電ケーブル、および受電側端子として機能する。
【符号の説明】
【００５２】
Ａ…コネクタ、１…本体ケース、１ａ…前端開口部、２…フロントハウジング、３…給電ケーブルユニット、４…外部ケース、６…ケーブル固定部材（固定部材）、１６…ケーブルユニット挿通孔、２０…締結具挿通孔、２１…基壁部、２１ｂ…後面、２２…第１側壁部、２３…第２側壁部、３１…給電ケーブル、３２…給電側端子、４７Ａ…第１液排出口、４７Ｂ…第２液排出口、７１…外部ケース締結具、Ｌ１…中心軸線。
【図１】
2019102363.tif 000003
【図２】
2019102363.tif 000004
【図３】
2019102363.tif 000005
【図４】
2019102363.tif 000006
【図５】
2019102363.tif 000007
【図６】
2019102363.tif 000008
【図７】
2019102363.tif 000009
【図８】
2019102363.tif 000010
【図９】
2019102363.tif 000011
【図１０】
2019102363.tif 000012
【図１１】
2019102363.tif 000013
【図１２】
2019102363.tif 000014
【図１３】
2019102363.tif 000015
【図１４】
2019102363.tif 000016
【図１５】
2019102363.tif 000017